(57)【要約】      （修正有）【課題】簡単に、迅速に、しかも安全に釣餌を装着できるベイトフィッシュホルダーを提供する。【解決手段】ベイトフィッシュホルダー10は、シンカーヘッド20と、ベイトフィッシュ80を支持する軸部31の一端をシンカーヘッド20に固定し、軸部31の他端側に所定方向に湾曲した曲がり部32を備えた釣針部30と、軸部31に支持されるベイトフィッシュ80を口から内部へ刺し込む中央針部40と、一端をシンカーヘッド20に固定し、他端側に前記軸部31に載置されたベイトフィッシュ80の一の側方から突き刺すための第一側方針部54を備えた第一アーム50と、一端をシンカーヘッド20に固定し、他端側に軸部31に載置されたベイトフィッシュ80の他の側方から突き刺すための第二側方針部64を備えた第二アーム60とを備える。両アーム50、60で、軸部31に載置されたベイトフィッシュ80を挟み、かつ離反可能に可動自在である。【選択図】図１
2014193131.tif 000002
【特許請求の範囲】
【請求項１】
釣糸を取り付けるアイを備えたシンカーヘッドと、
ベイトフィッシュを支持する軸部の一端を前記シンカーヘッドに固定し、前記軸部の他端側に所定方向へ湾曲した曲がり部を備えた釣針部と、
ベイトフィッシュの長手方向の内部へ刺し込む中央針部と、
前記シンカーヘッドに一端を固定するとともに、ベイトフィッシュの一の側方から突き刺すための第一側方針部を他端側に備えた第一アームと、
前記シンカーヘッドに一端を固定するとともに、ベイトフィッシュの他の側方から突き刺すための第二側方針部を他端側に備えた第二アームと、を備えたベイトフィッシュホルダーであって、
前記第一アームおよび前記第二アームの少なくとも一方は、前記釣針部の軸部に載置されたベイトフィッシュを挟むことおよび離すことが可能であるように可動自在に形成したベイトフィッシュホルダー。
【請求項２】
可動自在である前記第一アームまたは前記第二アームの少なくとも一方は、前記ベイトフィッシュに近接する方向へ付勢する付勢手段と、
その付勢手段の付勢力に抗する外力を加えた場合に前記ベイトフィッシュに近接した状態から離反させる押圧部と、を備えた請求項１に記載のベイトフィッシュホルダー。
【請求項３】
前記第一側方針部は、前記ベイトフィッシュの一方側の目を突き刺す位置に針を備え、
前記第二側方針部は、前記ベイトフィッシュの他方側の目を突き刺す位置に針を備えた請求項１または請求項２のいずれかに記載のベイトフィッシュホルダー。
【請求項４】
前記第一アームを可動自在とするとともに前記第二アームを固定した場合、前記第一アームの第一側方針部を、前記第二アームの第二側方針部より長く形成した請求項１から請求項３のいずれかに記載のベイトフィッシュホルダー。
【請求項５】
前記第一側方針部および前記第二側方針部は、多数の短小針からなる請求項１から請求項４のいずれかに記載のベイトフィッシュホルダー。
【請求項６】
前記第一側方針部および前記第二側方針部は、前記ベイトフィッシュに対して、そのベイトフィッシュの幅方向へ複数列に並べた複数の針とした請求項１から請求項５のいずれか一つに記載のベイトフィッシュホルダー。
【発明の詳細な説明】
【技術分野】
【０００１】
本発明は、簡単に、迅速に、しかも安全に釣餌を装着することができるベイトフィッシュホルダーに関する。
【背景技術】
【０００２】
釣餌となる小魚（ベイトフィッシュ）を保持するベイトフィッシュホルダーを仕掛けとして用いる魚釣りが存在する。例えば、太刀魚釣りでは、典型的な釣り餌としてキビナゴがベイトフィッシュとして仕掛けられる。
冷凍あるいは解凍されたキビナゴが用いられる場合、その身が非常に脆いので、ベイトフィッシュホルダーへ素早く装着することが求められる。しかも、魚の摂餌行為が活発になる時間帯である「地合」は、一般に短時間である。したがって、身崩れしたキビナゴを前記ベイトフィッシュホルダーから取り外して新たなキビナゴを装着するのは、迅速さが求められる。
【０００３】
特許文献１では、釣餌となる小魚（ベイトフィッシュ）を簡単に装着することができ、かつ太刀魚の習性に適した太刀魚用釣針が開示されている。その太刀魚用釣針は、道糸係止部を設けた錘に対して、前記道糸係止部とほぼ直角に設けた釣針が係止手段によって着脱自在に取り付けられる。前記釣針における軸の錘側端部は尖鋭である。
また、前記釣針における軸と同じ方向に向けた突起部が、前記道糸係止部に設けられる。前記突起部には、複数の道糸係止孔を前記軸と平行に配置し、かぎ型餌刺針を前記釣針の軸に対して回動自在に取り付けられている。前記係止手段は、前記軸の錘側端部に孔を設け、この孔に係止具を係止する。
【０００４】
特許文献２では、釣針であるフックを備えたヘッドに、ロックピンを取り付けている。前記ロックピンは、前記フックに突き刺されたベイトフィッシュに対して先端側を突き刺す構成である。
【先行技術文献】
【特許文献】
【０００５】
【特許文献１】特開平８−１６３９３９号公報
【特許文献２】特開平１１−２９９３９４号公報
【発明の概要】
【発明が解決しようとする課題】
【０００６】
特許文献１のベイトフィッシュホルダーは、ベイトフィッシュを取り付ける時、釣針の軸部における錘側端部の先端が尖鋭であるので、簡単にベイトフィッシュを刺し通すことができる。しかし、前記釣針の軸の錘側端部は、係止手段の係止具を外して錘から取り外す必要がある。前記軸を錘側端部の先端からベイトフィッシュへ刺し通した後に、再び前記軸の錘側端部を前記係止手段の係止具によって錘へ固定する。したがって、太刀魚用釣針が一時的に二分されるので、取り外し・取り付けの手間がかかる。
しかも、釣針が、釣糸を結んだ錘から一時的に離れるので、一方では、釣糸を結んだ錘が手元から離れないように押さえて神経を使いつつ、他方では、前記釣針の軸にベイトフィッシュを取り付ける作業をする必要がある。
【０００７】
特許文献２のベイトフィッシュホルダーは、ベイトフィッシュにフックを先端側から突き刺すので、熟練を要する。次に、前記ロックピンを指で摘まんでロックピンのバネ性に抗して一旦外側へ開く。この状態で、前記ベイトフィッシュに引き続きフックを突き刺してゆく。この動作は、やはり手による細かい作業を必要とし、ある程度の熟練を要する。
【０００８】
「地合」は夕刻から夜にかけての手元が暗くなる時間帯であることが多い。その時間帯において、迅速に新たな釣餌に付けかえるには、特許文献１および特許文献２のいずれにおいても、さらなる改善の必要がある。さらに、安全性という点においても、釣餌を装着する時に釣針を、指先や手に突き刺してしまう可能性も否定できない。船の上での釣りの場合、船が揺れることによる不可抗力で指を刺してしまう事態が発生してしまう可能性もある。
【０００９】
本発明が解決しようとする課題は、簡単に、迅速に、しかも安全に釣餌を装着することができるベイトフィッシュホルダーを提供することにある。
【課題を解決するための手段】
【００１０】
（第一の発明）
第一の発明は、  釣糸を取り付けるアイ(21)を備えたシンカーヘッド(20)と、  ベイトフィッシュ(80)を支持する軸部(31)の一端を前記シンカーヘッド(20)に固定し、前記軸部(31)の他端側に所定方向へ湾曲した曲がり部(32)を備えた釣針部(30)と、  ベイトフィッシュ(80)の長手方向の内部へ刺し込む中央針部(40)と、  前記シンカーヘッド(20)に一端を固定するとともに、ベイトフィッシュ(80)の一の側方から突き刺すための第一側方針部(54)を他端側に備えた第一アーム(50)と、  前記シンカーヘッド(20)に一端を固定するとともに、ベイトフィッシュ(80)の他の側方から突き刺すための第二側方針部(64)を他端側に備えた第二アーム(60)と、を備えたベイトフィッシュホルダー(10)に係る。
前記第一アーム(50)および前記第二アーム(60)の少なくとも一方は、前記釣針部(30)の軸部(31)に載置されたベイトフィッシュ(80)を挟むことおよび離すことが可能であるように可動自在に形成した。
【００１１】
（用語説明）
「シンカーヘッド(20)」とは、鉛、亜鉛合金、タングステンなどの金属からなる“錘”であり、釣糸(11)を取り付けるアイ (21)が一体的に備えられている。
「ベイトフィッシュ(80)」とは、魚の釣餌のことであり、魚や海老などを模して製造された疑似餌も含む。例えば太刀魚釣りでは、生餌としてのキビナゴが典型的なベイトフィッシュである。
「軸部(31)」において、「ベイトフィッシュ(80)を支持する」とは、自重で変形するベイトフィッシュ(80)を接触して支える、という趣旨である。
【００１２】
（作用）
ベイトフィッシュ(80)を装着する際、以下のような手順を踏む。
まず、可動自在である第一アーム(50)あるいは第二アーム(60)を可動させて、ベイトフィッシュ(80)の装着位置から離反する方向へ移動させて開く。  そして、前記ベイトフィッシュ(80)を中央針部(40)へ刺し込む。
次に、可動させた第一アーム(50)あるいは第二アーム(60)を前記ベイトフィッシュ(80)へ接近する方向へ移動する。第一側方針部(54)および第二側方針部(64)が前記ベイトフィッシュ(80)の両側面に突き刺さる。
【００１３】
上記のような簡単な動作で、迅速に、安全にベイトフィッシュ(80)をベイトフィッシュホルダー(10)へ装着することができる。しかも、冷凍あるいは解凍されたベイトフィッシュ(80)であっても、迅速に装着しやすい。また、中央針部(40)へ刺し込んだベイトフィッシュ(80)は、確実に位置が固定される。
その状態でベイトフィッシュ(80)の両側を、第一アーム(50)の第一側方針部(54)および第二アーム(60)の第二側方針部(64)で固定するので、ベイトフィッシュ(80)の装着状態が安定する。  しかも、ベイトフィッシュ(80)におけるシンカーヘッド(20)と反対側（通常は、尾の側）が拘束されていないので水中で動くため、餌としてのリアル感を出しやすい。
また、第一側方針部(54)と第二側方針部(64)は、互いに向き合っており、中央針部(40)は第一側方針部(54)と第二側方針部(64)の間に位置しているので、尖鋭な針部が外側へ突出しない状態となるので、安全性が向上する。
【００１４】
（第一の発明のバリエーション１）
第一の発明は、以下のように形成することも可能である。
すなわち、可動自在である前記第一アーム(50)または前記第二アーム(60)の少なくとも一方は、前記ベイトフィッシュ(80)に近接する方向へ付勢する付勢手段(52,62)と、  その付勢手段(52,62)の付勢力に抗する外力を加えた場合に前記ベイトフィッシュ(80)に近接した状態から離反させる押圧部(51,61)とを備える。
この付勢手段(52,62)は、スプリング形状をなす部位や部材のほか、第一アーム(50)または第二アーム(60)を弾性変形する部材で形成する場合を含む。そして、釣り人の指で挟む程度の力で開く程度の付勢力を備える。
【００１５】
（作用）
可動自在である第一アーム(50)または第二アーム(60)の少なくとも一方が、ベイトフィッシュ(80)の装着位置に近接する方向へ常時付勢している。つまり、ベイトフィッシュホルダー(10)を使わない時は、第一側方針部(54)および第二側方針部(64)が閉じられており、安全に寄与する。
ベイトフィッシュ(80)を装着する時は、可動自在である第一アーム(50)あるいは第二アーム(60)を、釣り人の手で付勢手段(52,62)の付勢力に抗する外力を加えれば開かせることができる。ベイトフィッシュ(80)を中央針部(40)へ刺し込んでから手を離すと、前記可動させた第一アーム(50)あるいは第二アーム(60)が前記ベイトフィッシュ(80)へ接近する方向へ移動し、ベイトフィッシュ(80)の装着を完了させることができる。
【００１６】
人の手の動作としては、例えば親指と人差し指で互いに押し合う力を加えやすい。押圧部(51,62)を設けたので、ベイトフィッシュホルダー(10)を手に載せ、その指で前記押圧部(51,62)を押圧するだけで、第一アーム(50)あるいは第二アーム(60)が簡単に開く。ベイトフィッシュ(80)を中央針部(40)へ刺し込み易くなる。しかも、前記押圧部(51,62)から指を離すだけで、第一アーム(50)あるいは第二アーム(60)が閉じて装着完了となる。
【００１７】
（第一の発明のバリエーション２）
第一の発明は、以下のようなバリエーションを提供することもできる。
すなわち、  前記第一側方針部(54)は、前記ベイトフィッシュ(80)の一方側の目(81)を突き刺す位置に針(55)を備え、  前記第二側方針部(64)は、前記ベイトフィッシュ(80)の他方側の目(81)を突き刺す位置に針(65)を備える。
【００１８】
（作用）
ベイトフィッシュ(80)が冷凍されたものであっても、ベイトフィッシュ(80)の目(81)を突き刺す場合には、固定する動作において小さな力で済むので、その箇所に針(55,65)を配置することは合理的で効果的である。  また、針(55,65)の先端の位置が中央針部(40)を超えた位置に達するような長さの針(55,65)とすると、ベイトフィッシュ(80)を強固に固定できる。
なお、ベイトフィッシュ(80)の目(81)を刺す針に加え、腹部(82)側を刺すことができる位置にも別の針を備えておくことが、より好ましい。固定されるべきベイトフィッシュ(80)を安定させることに寄与するからである。  この「別の針」については、ベイトフィッシュ(80)を中心として対称な位置へ設ける例を、後述する実施形態にて開示するが、非対称な位置へ設けることとしても良い。
【００１９】
（第一の発明のバリエーション３）
第一の発明は、以下のようなバリエーションを提供することもできる。
すなわち、  前記第一アーム(50)を可動自在とするとともに前記第二アーム(60)を固定した場合、前記第一アーム(50)の第一側方針部(54)を、前記第二アーム(60)の第二側方針部(64)より長く形成することとしてもよい。
【００２０】
（作用）
第一アーム(50)が片持ちで開く。この時、第二アーム(60)の第二側方針部(64)が短い針であるので、ベイトフィッシュ(80)を装着し易い。一方、第一アーム(50)が閉じる時、第一側方針部(54)が長い針であるので、ベイトフィッシュ(80)に対して深く突き刺すことができる。その結果、ベイトフィッシュ(80)の装着状態が安定する。
【００２１】
（第一の発明のバリエーション４）
第一の発明は、以下のようなバリエーションを提供することもできる。
すなわち、  前記第一側方針部(54)および前記第二側方針部(64)は、多数の短小針からなることとしてよい。
【００２２】
（作用）
第一側方針部(54)および第二側方針部(64)が短小針であるので、刺し込みが浅くなるが、ベイトフィッシュ(80)に対して刺し込み易くなる。多数の短小針とすることで、ベイトフィッシュ(80)の装着状態が安定する。
【００２３】
（第一の発明のバリエーション５）
第一の発明は、以下のようなバリエーションを提供することもできる。
すなわち、前記第一側方針部(54)および前記第二側方針部(64)は、前記ベイトフィッシュ(80)に対して、そのベイトフィッシュ(80)の幅方向へ複数列に並べた複数の針としてよい。
【００２４】
（作用）
第一側方針部(54)および第二側方針部(64)の針の数が多く、広い範囲を刺すこととなるので、大きなベイトフィッシュ(80)を装着することができる。
【００２５】
（第一の発明のバリエーション６）
第一の発明は、以下のようなバリエーションを提供することもできる。
すなわち、  ベイトフィッシュ(80)を挟んだ前記第一アーム(50)および前記第二アーム(60)が、前記ベイトフィッシュ(80)から離反しないように押さえるゆるみ止めリング(70)を、前記第一アーム(50)および前記第二アーム(60)の外側にかかる位置と外れる位置の間を移動自在に配置することができる。
【００２６】
（作用）
ゆるみ止めリング(70)は、ベイトフィッシュ(80)を装着する際には邪魔にならず、ベイトフィッシュ(80)を装着完了後に、第一アーム(50)および第二アーム(60)の外側にかかる位置へ移動できる。したがって、ゆるみ止めリング(70)によって、第一アーム(50)および第二アーム(60)がベイトフィッシュ(80)から離反しないように確実に押さえることができる。
【発明の効果】
【００２７】
第一の発明によれば、簡単に、迅速に、しかも安全にベイトフィッシュを装着することができるベイトフィッシュホルダーを提供することができた。
【図面の簡単な説明】
【００２８】
【図１】第一の実施形態のベイトフィッシュホルダーにベイトフィッシュを装着し、水中で釣糸にて吊り下げられた状態を示す斜視図である。
【図２】（ａ）は、図１のベイトフィッシュホルダーの側面図である。（ｂ）は、（ａ）のベイトフィッシュホルダーにおいて第一アームおよび第二アームをベイトフィッシュの装着位置から離反した状態の平面図である。（ｃ）は、（ａ）のベイトフィッシュホルダーにおいてベイトフィッシュを装着した状態の平面図である。
【図３】（ａ）は、第二の実施形態を示す平面図である。（ｂ）は、（ａ）のベイトフィッシュホルダーにおいて第一アームをベイトフィッシュの装着位置から離反した状態の平面図である。
【図４】第三の実施形態を示す斜視図である。
【図５】第四の実施形態を示す斜視図である。
【図６】第五の実施形態を示す。（ａ）は、図１のベイトフィッシュホルダーに対してゆるみ止めリングを備えた平面図である。（ｂ）は、（ａ）のベイトフィッシュホルダーにおいて第一アームおよび第二アームをベイトフィッシュの装着位置から離反した状態の平面図である。（ｃ）は、ベイトフィッシュを装着後、ゆるみ止めリングを移動した状態の平面図である。
【発明を実施するための形態】
【００２９】
以下、本発明の実施形態について図面を参照して説明する。
図１および図２に示す第一の実施形態に係るベイトフィッシュホルダー１０は、太刀魚釣りに用いる仕掛けとして説明する。ベイトフィッシュとしては、キビナゴを採用する。ベイトフィッシュホルダー１０は、図１および図２に示すように、シンカーヘッド２０と、釣針部３０と、中央針部４０と、第一アーム５０と、第二アーム６０とを備えている。以下、本実施形態では、ベイトフィッシュは、「キビナゴ８０」として記載する。
【００３０】
シンカーヘッド２０は、鉛、亜鉛合金、タングステンなどの比重の大きな金属からなる“錘”であり、釣糸１１を取り付けるアイ２１を備えている。アイ２１に連結した釣糸１１は、釣竿を介して釣糸リールに巻き取られている。実際の釣りでは、キビナゴ８０をベイトフィッシュホルダー１０に取り付けて水中に投ずると、釣餌としてのキビナゴ８０が図１において二点鎖線で示すようにほぼ垂直状態となる。本実施形態では、図１においてキビナゴ８０を装着した状態を基準に、上下方向、左右方向、前後方向として説明する。
【００３１】
釣針部３０は、本実施形態では、ステンレスなどの金属製の線材であり、ほぼ直線状の軸部３１と、図１において後方向の所定方向に湾曲した形状の曲がり部３２と、からなる。前記軸部３１の一端を前記シンカーヘッド２０に固定し、前記軸部３１の他端側に前記曲がり部３２を一体的に形成している。前記軸部３１はキビナゴ８０を支持する（図においては載せて支える）フレームとしての機能を持つ。
前記曲がり部３２の先端は、釣餌としてのキビナゴ８０を食べようとした太刀魚に刺さる釣針３３であり、返し３４を設けている。
【００３２】
中央針部４０は、一端をシンカーヘッド２０に固定し、他端側の先端が釣針部３０の軸部３１に支持されたキビナゴ８０を口から内部へ刺し込むために、鋭く尖っており、抜けにくくするための返し４１を設けている。
【００３３】
第一アーム５０は、一端をシンカーヘッド２０に固定し、他端側に釣針部３０の軸部３１に載置されたキビナゴ８０の一の側方から突き刺すための第一側方針部５４を備えている。  本実施形態では、釣針の軸延長線上に「アイ」（釣り糸係止部）を設けることで、製造上の合理性を確保している。
本実施形態では、前記第一アーム５０は、ステンレス製の金属製の線材であり、その一端をシンカーヘッド２０に固定する。一方、その他端側は、後述する第二アーム６０との間でキビナゴ８０を挟み込むように近接させ、かつ挟んだ状態から離すことが可能であるように可動自在に形成している。第一アーム５０は弾性（バネ性）を有しており、第一アーム５０の他端側が前記第二アーム６０に向けて常時、接近している状態である。
【００３４】
第一アーム５０の他端側は、前記金属製の線材におけるシンカーヘッド２０側にバネ５２を形成してから、さらに、指で押圧するための第一の押圧部５１を、図１において左側（キビナゴ８０の装着位置に対して左方）に位置して下方へ延びるように形成する。さらに、図１において右側（キビナゴ８０の装着位置に対して右方）へ延びるように折り曲げてから、さらに図１において右側（キビナゴ８０の装着位置に対して右方）に位置して下方へ延びるように折り曲げることによって第一側方針部５４を備えた第一の押えアーム部５３を形成する。
【００３５】
前記第一側方針部５４は、釣針部３０の軸部３１に載置されたキビナゴ８０における目８１と腹部８２（大きなキビナゴであれば鰓付近）の少なくとも２箇所を突き刺す針５５を有する。図１では２つの針５５を示しているが、それ以上の数の針５５を設けることができる。第一の押えアーム部５３を形成する線材の先端は、折り曲げてキビナゴ８０の腹部８２を刺す針５５を形成している。目８１を指す針５５は、両端を尖らせた針を前記線材へ溶接している。
【００３６】
第二アーム６０は、一端をシンカーヘッド２０に固定し、他端側に釣針部３０の軸部３１に載置されたキビナゴ８０の他の側方（前記第一アーム５０と反対側のキビナゴ８０の側方）から突き刺すための第二側方針部６４を備えている。
本実施形態では、前記第二アーム６０は、ステンレス製の金属製の線材であり、その一端をシンカーヘッド２０に固定する。一方、その他端側は、前記第一アーム５０との間でキビナゴ８０を挟み込むように近接し、かつ離反可能に可動自在に形成している。第二アーム６０は弾性（バネ性）を有しており、第二アーム６０の他端側が前記第一アーム５０に向けて常時、接近している状態である。
【００３７】
すなわち、第二アーム６０の他端側は、前記金属製の線材におけるシンカーヘッド２０側にバネ６２を形成してから、さらに、指で押圧するための第二の押圧部６１を、図１において右側（キビナゴ８０の装着位置に対して右方）に位置して下方へ延びるように形成する。さらに、図１において左側（キビナゴ８０の装着位置に対して左方）へ延びるように折り曲げてから、さらに図１において左側（キビナゴ８０の装着位置に対して左方）に位置して下方へ延びるように折り曲げることによって第二側方針部６４を備えた第二の押えアーム部６３を形成する。
【００３８】
前記第二側方針部６４は、釣針部３０の軸部３１に載置されたキビナゴ８０における目８１と腹部８２の少なくとも２箇所を突き刺す針６５を有する。図１では２つの針６５を示しているが、それ以上の数の針６５を設けることができる。第二の押えアーム部６３を形成する線材の先端は、折り曲げて腹部８２を刺す針６５を形成している。目８１を指す針６５は、両端を尖らせた針を前記線材へ溶接している。
【００３９】
前記第一側方針部５４および前記第二側方針部６４のいずれにおいても、キビナゴ８０の目８１を突き刺す場合には、キビナゴ８０が冷凍されたものであっても、固定する動作において、小さな力で済む。
キビナゴ８０の尾は、針５５の軸方向と平行に動きやすい状態で固定されることとなる。この場合、本願に係るベイトフィッシュホルダー１０を水中で踊らせると、キビナゴ８０の尾が、生きている場合と同様の動きをしやすい。
【００４０】
以上のように、第一アーム５０と第二アーム６０は、釣針部３０の軸部３１に載置されたキビナゴ８０を挟むように、その両方が前記キビナゴ７０に対して近接しかつ離反可能に可動自在である。しかも、第一アーム５０は、付勢手段であるバネ５２によって前記キビナゴ７０に対して近接する方向へ常時付勢されている。このとき、バネ５２の付勢力は、釣り人の手で第一アーム５０をキビナゴ７０から離反可能な強さを有する。一方、第二アーム６０は、付勢手段であるバネ６２によって前記キビナゴ７０に対して近接する方向へ常時付勢されている。このとき、バネ６２の付勢力は、釣り人の手で第二アーム６０をキビナゴ７０から離反可能な強さを有する。
【００４１】
次に、上述の本実施形態のベイトフィッシュホルダー１０における作用について説明する。
ベイトフィッシュホルダー１０は、図２（ａ）に示すように、釣餌（ベイトフィッシュ）であるキビナゴ８０を、簡単な操作で容易に装着することができる。
例えば、ベイトフィッシュホルダー１０を手のひらに載せて、例えば親指と人差し指の力で、図２（ｂ）の矢印で示すように、第一アーム５０の第一の押圧部５１と、第二アーム６０の第二の押圧部６１とを挟むようにして押圧する。すると、バネ５２およびバネ６２の付勢力に抗して、第一アーム５０の第一の押えアーム部５３および第二アーム６０の第二の押えアーム部６３が、図２（ｂ）の矢印で示すように、互いに離反する方向に移動する。つまり、キビナゴ８０を装着できるように開く。なお、釣針部３０の曲がり部３２は手のひらで受け止められるので、安全である。
【００４２】
次いで、図２（ｂ）の二点鎖線で示すように、ベイトフィッシュホルダー１０の中央針部４０へ、キビナゴ８０を口から内部へ刺し込んでゆく。中央針部４０へ刺し込んだキビナゴ８０は、確実に位置が固定されて安定した状態になる。また、中央針部４０の返し４１によってキビナゴ８０が抜けにくくなる。
【００４３】
キビナゴ８０の両側面の目８１，８１の位置が、第一側方針部５４の針５５および第二側方針部６４の針６５の位置になった時に、親指と人差し指を、第一の押圧部５１および第二の押圧部６１から離す。すると、図２（ｃ）の矢印で示すように、第一の押えアーム部５３がバネ５２の付勢力によってキビナゴ８０の右側面に接近する方向に移動する。一方、第二の押えアーム部６３がバネ６２の付勢力によってキビナゴ８０の左側面に接近する方向に移動する。
したがって、第一側方針部５４の針５５，５５がキビナゴ８０の右側面の目８１と腹部８２に突き刺さり、第二側方針部６４の針６５，６５がキビナゴ８０の左側面の目８１と腹部８２に突き刺さる。以上で、ベイトフィッシュホルダー１０へキビナゴ８０を装着する作業が完了する。
【００４４】
上記の動作を整理すれば、以下のようになる。
（１）第一の押圧部５１と第二の押圧部６１を二つの指で挟むように押圧し、第一の押えアーム部５３と第二の押えアーム部６３を開く。
（２）キビナゴ８０を中央針部４０へ刺し込む。
（３）第一の押圧部５１と第二の押圧部６１から二つの指を離す。第一の押えアーム部５３と第二の押えアーム部６３が閉じて、第一側方針部５４の針５５，５５および第二側方針部６４の針６５，６５が、キビナゴ８０の両側面の目８１，８１と腹部８２，８２に突き刺さる。
【００４５】
上記の３つの簡単な動作で、迅速に、安全に、キビナゴ８０をベイトフィッシュホルダー１０へ装着することができる。しかも、冷凍あるいは解凍された釣餌であるキビナゴ８０であっても、迅速に装着しやすい。また、中央針部４０へ刺し込んだキビナゴ８０は、確実に位置が固定される。しかも、その状態でキビナゴ８０の両側を、第一の押えアーム部５３の第一側方針部５４および第二の押えアーム部６３の第二側方針部６４で固定するので、キビナゴ８０の装着状態が安定する。
【００４６】
第一側方針部５４と第二側方針部６４は、互いに向き合っており、中央針部４０は第一側方針部５４と第二側方針部６４の間に位置しているので、尖鋭な針部が外側へ突出しない状態となる。そのため、ベイトフィッシュホルダー１０を使用する時のみならず、使用しない時も、安全性が向上する。
【００４７】
可動自在である第一アーム５０および第二アーム６０が、バネ５２およびバネ６２によって、キビナゴ８０の装着位置に近接する方向へ常時付勢しているので、第一の押えアーム部５３と第二の押えアーム部６３は、第一側方針部５４および第二側方針部６４が互いに向かい合う方向で閉じられている。したがって、ベイトフィッシュホルダー１０を使わない時も、常に安全である。
【００４８】
キビナゴ８０を装着する時は、第一アーム５０および第二アーム６０を、釣り人の指でバネ５２およびバネ６２の付勢力に抗して開くように容易に移動できる。キビナゴ８０を中央針部４０へ刺し込んでから手を離すと、バネ５２およびバネ６２の付勢力によって、前記可動させた第一アーム５０および第二アーム６０がキビナゴ８０へ接近する方向へ移動し、装着完了する。バネ５２およびバネ６２の付勢手段によって、操作がより一層簡単で、迅速である。
【００４９】
次に、第二の実施形態について説明する。なお、第一の実施形態と異なる点を説明する。他は同様であるので詳しい説明は省略する。
例えば、第一の実施形態では、第一アーム５０と第二アーム６０は、両方がキビナゴ８０の装着位置に近接しかつ離反可能に可動自在である。しかし、第一アーム５０と第二アーム６０のいずれか一方を固定して他方を可動自在としても、本願発明の趣旨は達成できる。
第二の実施形態では、図３（ａ）に示すように、第一アーム５０が可動自在であり、第二アーム６０が固定である。図１に示した第一の実施形態に係るベイトフィッシュホルダー１０と異なる点としては、第二アーム６０はバネ６２を無くすことで、固定としている。しかも、固定側の第二アーム６０では、第二側方針部６４の針６５を短い針とし、可動側の第一アーム５０では、第一側方針部５４の針５５を前記第二側方針部６４の針６５より長い針とする。
【００５０】
親指と人差し指の力で、図３（ｂ）の矢印で示すように、第一アーム５０の第一の押圧部５１と、第二アーム６０の第二の押圧部６１とを挟むようにして押圧する。すると、第一アーム５０の第一の押えアーム部５３だけが、図３（ｂ）の矢印で示すように、バネ５２の付勢力に抗してキビナゴ８０の装着位置から離反する方向に移動する。つまり、第一アーム５０が片持ちで開く。
次いで、図３（ｂ）の二点鎖線で示すように、キビナゴ８０を中央針部４０へ刺し込む。この時、固定側の第二アーム６０における第二側方針部６４の針６５が短い針であるので、キビナゴ８０を装着し易い。しかも、中央針部４０および第二アーム６０がある程度撓むので、キビナゴ８０を装着し易い。
【００５１】
キビナゴ８０の左側面の目８１が、第二側方針部６４の針６５の位置にきた時に、親指と人差し指を、第一の押圧部５１と第二の押圧部６１から離す。すると、図３（ａ）の矢印で示すように、第一側方針部５４がバネ５２の付勢力によってキビナゴ８０の右側面に接近する方向に移動する。この時、可動側の第一アーム５０における第一側方針部５４の針５５が長い針であるので、キビナゴ８０に対して深く突き刺すことができる。その結果、キビナゴ８０の装着状態が安定する。
【００５２】
続いて、第三の実施形態について、図４に基づいて説明する。第三の実施形態に係る第一側方針部５４の針５５および第二側方針部６４の針６５は、多数の短小針としている。例えば、図４では、第一側方針部５４は、目８１を指す針５５を図１と同じ大きさとし、腹部８２を刺す他の針５５を多数（図では４つ）の短小針としている。一方、第二側方針部６４は、目８１を指す針６５を図１と同じ大きさとし、腹部８２を刺す他の針６５を多数（図では４つ）の短小針としている。
これにより、短小針であるので刺し込みが浅くなるが、キビナゴ８０に対して刺し込み易くなる。多数の短小針とすることで、キビナゴ８０の装着状態が安定する。
【００５３】
続いて、第四の実施形態について、図５に基づいて説明する。
第四の実施形態における第一側方針部５４は、前後方向で二列（つまり、装着するキビナゴ８０に対して縦方向で二列）に並べた複数の針５５，５５，５５・・・，とすることができる。第二側方針部６４は、前後方向で二列に並べた複数の針６５，６５，６５・・・，とすることができる。これによって、大きなキビナゴ８０も装着することができる。
【００５４】
続いて、第五の実施形態について、図６に基づいて説明する。
第五の実施形態は、ベイトフィッシュホルダー１０に対してキビナゴ８０を挟んだ第一アーム５０および第二アーム６０が、前記キビナゴ８０から離反しないように押さえるため、ゆるみ止めリング７０を配置したものである。なお、ゆるみ止めリング７０は、円形状あるいはその他の形状でも良い。
図６（ａ）に示すように、図１のベイトフィッシュホルダー１０において、前記ゆるみ止めリング７０は、第一の押えアーム部５３および第二の押えアーム部６３の外側にかかる位置と外れる位置の間を移動自在に配置している。さらに、前記ゆるみ止めリング７０が第一アーム５０および第二アーム６０から外れないように、リングストッパ部７１を設けている。
【００５５】
前記リングストッパ部７１は、例えば、第一の上方ストッパ部７１ａ、第二の上方ストッパ部７１ｂ、第一の下方ストッパ部７１ｃ、第二の下方ストッパ部７１ｄで構成される。
第一の上方ストッパ部７１ａは、第一アーム５０における第一の押圧部５１の上方側で外側に突出している。第二の上方ストッパ部７１ｂは、第二アーム６０における第二の押圧部６１の上方側で外側に突出している。
第一の下方ストッパ部７１ｃは、第一アーム５０の第一の押えアーム部５３の任意位置で外側に突出している。第二の下方ストッパ部７１ｄは、第二アーム６０における第二の押えアーム部６３の任意位置で外側に突出している。
キビナゴ８０をベイトフィッシュホルダー１０に装着する時、前記ゆるみ止めリング７０は、図６（ａ）に示すように、第一の上方ストッパ部７１ａおよび第二の上方ストッパ部７１ｂへ突き当てた位置にあるので、邪魔にならない。
【００５６】
図６（ｂ）に示すように、第一の押圧部５１と第二の押圧部６１を二つの指で挟むように押圧し、第一の押えアーム部５３と第二の押えアーム部６３を開く。図６（ｂ）の二点鎖線で示すように、キビナゴ８０を中央針部４０へ刺し込む。
キビナゴ８０が所定の位置にきたら、第一の押圧部５１と第二の押圧部６１から二つの指を離す。図６（ｃ）に示すように、第一の押えアーム部５３と第二の押えアーム部６３が閉じて、第一側方針部５４の針５５，５５および第二側方針部６４の針６５，６５がキビナゴ８０の両側面の目８１，８１と腹部８２，８２に突き刺さる。
【００５７】
次に、前記ゆるみ止めリング７０を、図６（ｃ）において下方へ移動し、第一の下方ストッパ部７１ｃおよび第二の下方ストッパ部７１ｄへ突き当てる。これによって、キビナゴ８０を挟んだ第一の押えアーム部５３と第二の押えアーム部６３が、前記キビナゴ８０から離反しないように確実に押さえられる。
【産業上の利用可能性】
【００５８】
本発明は、釣り具の製造業、販売業またはレンタル業、アウトドアスポーツのインストラクター事業などにおいて、利用可能性を有する。
【符号の説明】
【００５９】
１０；  ベイトフィッシュホルダー        １１；  釣糸
２０；  シンカーヘッド                  ２１；  アイ
３０；  釣針部                          ３１；  軸部
３２；  曲がり部                        ３３；  釣針
３４；  返し
４０；  中央針部                        ４１；  返し
５０；  第一アーム                      ５１；  第一の押圧部
５２；  バネ（付勢手段）                ５３；  第一の押えアーム部
５４；  第一側方針部                    ５５；  針
６０；  第二アーム                      ６１；  第二の押圧部
６２；  バネ（付勢手段）                ６３；  第二の押えアーム部
６４；  第二側方針部                    ６５；  針
７０；  ゆるみ止めリング                ７１；  リングストッパ部
７１ａ；第一の上方ストッパ部            ７１ｂ；第二の上方ストッパ部
７１ｃ；第一の下方ストッパ部            ７１ｄ；第二の下方ストッパ部
８０；  キビナゴ（ベイトフィッシュ）    ８１；  目
８２；  腹部
【図１】
2014193131.tif 000003
【図２】
2014193131.tif 000004
【図３】
2014193131.tif 000005
【図４】
2014193131.tif 000006
【図５】
2014193131.tif 000007
【図６】
2014193131.tif 000008